(57)【要約】【課題】本発明は、冗長系ＯＳＵの異常を予め点検できるＰＯＮプロテクションシステムの異常診断方法及びＰＯＮプロテクションシステムを提供することを目的とする。【解決手段】本発明のＰＯＮプロテクションシステムの異常診断方法は、正常系ＯＳＵ１１とＯＮＵ５０とをポイント・ツー・マルチポイント形態で接続する光アクセスネットワークを複数含むＰＯＮに、光スイッチ３２の切り替えでいずれかの正常系ＯＳＵ１１の代理として機能する冗長系ＯＳＵ１２を備えたＰＯＮプロテクションシステムの異常診断方法であって、光スイッチ３２にＯＮＵ５０と接続するための接続ポートの他に異常診断用ポート設け、光スイッチの冗長系ＯＳＵ接続ポートと異常診断用ポートを接続した状態で、冗長系ＯＳＵを発光してない状態から発光させて運用を開始し、異常診断用ポートを用いて冗長系ＯＳＵの異常診断を行う。【選択図】図３
2014171120.tif 000002
【特許請求の範囲】
【請求項１】
局舎側伝送装置である１台の正常系光加入者線終端盤（ＯＳＵ；Ｏｐｔｉｃａｌ  Ｓｕｂｓｃｒｉｂｅｒ  Ｕｎｉｔ）と、ユーザ側伝送装置である１台以上の光加入者線終端装置（ＯＮＵ；Ｏｐｔｉｃａｌ  Ｎｅｔｗｏｒｋ  Ｕｎｉｔ）とを、ポイント・ツー・マルチポイント形態で接続する光アクセスネットワークを複数含むパッシブオプティカルネットワーク（ＰＯＮ；Ｐａｓｓｉｖｅ  Ｏｐｔｉｃａｌ  Ｎｅｔｗｏｒｋ）に、光スイッチの切り替えでいずれかの前記正常系ＯＳＵの代理として前記正常系ＯＳＵに収容される前記ＯＮＵと通信できる冗長系ＯＳＵを備えたＰＯＮプロテクションシステムであって、
前記光スイッチは、前記冗長系ＯＳＵの異常診断を行うための異常診断用ポートを備え、
前記光スイッチに前記冗長系ＯＳＵと前記異常診断用ポートを接続させ、前記冗長系ＯＳＵを発光してない状態から発光させることで、前記冗長系ＯＳＵの異常診断を行う制御部と、
を備えるＰＯＮプロテクションシステム。
【請求項２】
前記光スイッチの異常診断用ポートに接続され、前記冗長系ＯＳＵと接続試験を行う異常診断用ＯＮＵを備え、
前記制御部は、前記冗長系ＯＳＵと前記異常診断用ＯＮＵが接続した状態で、前記冗長系ＯＳＵを発光してない状態から発光させて前記異常診断用ＯＮＵ及び前記冗長系ＯＳＵに接続試験を行わせることで、前記冗長系ＯＳＵの異常診断を行う
ことを特徴とする請求項１に記載のＰＯＮプロテクションシステム。
【請求項３】
前記光スイッチの異常診断用ポートに接続され、前記冗長系ＯＳＵと接続試験を行う光電力測定部を備え、
前記制御部は、前記冗長系ＯＳＵと前記異常診断用ＯＮＵが接続した状態で、前記冗長系ＯＳＵを発光してない状態から発光させて前記光電力測定部からの測定結果を取得することで、前記冗長系ＯＳＵの異常診断を行う
ことを特徴とする請求項１に記載のＰＯＮプロテクションシステム。
【請求項４】
局舎側伝送装置である１台の正常系光加入者線終端盤（ＯＳＵ；Ｏｐｔｉｃａｌ  Ｓｕｂｓｃｒｉｂｅｒ  Ｕｎｉｔ）と、ユーザ側伝送装置である１台以上の光加入者線終端装置（ＯＮＵ；Ｏｐｔｉｃａｌ  Ｎｅｔｗｏｒｋ  Ｕｎｉｔ）とを、ポイント・ツー・マルチポイント形態で接続する光アクセスネットワークを複数含むパッシブオプティカルネットワーク（ＰＯＮ；Ｐａｓｓｉｖｅ  Ｏｐｔｉｃａｌ  Ｎｅｔｗｏｒｋ）に、光スイッチの切り替えでいずれかの前記正常系ＯＳＵの代理として前記正常系ＯＳＵに収容される前記ＯＮＵと通信できる冗長系ＯＳＵを備えたＰＯＮプロテクションシステムの異常診断方法であって、
前記光スイッチは、前記冗長系ＯＳＵの異常診断を行うための異常診断用ポートを備え、
前記光スイッチの前記冗長系ＯＳＵ接続ポートと前記異常診断用ポートを接続した状態で、前記冗長系ＯＳＵを発光してない状態から発光させて運用を開始し、前記異常診断用ポートを用いて前記冗長系ＯＳＵの異常診断を行うことを特徴としたＰＯＮプロテクションシステムの異常診断方法。
【請求項５】
前記異常診断において、前記異常診断用ポートに異常診断用ＯＮＵを接続して、前記異常診断用ＯＮＵと前記冗長系ＯＳＵとの接続試験を行うことを特徴とする請求項４に記載のＰＯＮプロテクションシステムの異常診断方法。
【請求項６】
前記異常診断において、前記異常診断用ポートで前記冗長系ＯＳＵからの光信号を光電力測定することを特徴とする請求項４に記載のＰＯＮプロテクションシステムの異常診断方法。
【発明の詳細な説明】
【技術分野】
【０００１】
本発明は、ＰＯＮプロテクションシステムにおける異常診断方法に関する。
【背景技術】
【０００２】
パッシブオプティカルネットワーク（ＰＯＮ；Ｐａｓｓｉｖｅ  Ｏｐｔｉｃａｌ  Ｎｅｔｗｏｒｋ）は、１台の局舎側伝送装置である光加入者線終端盤（ＯＳＵ；Ｏｐｔｉｃａｌ  Ｓｕｂｓｃｒｉｂｅｒ  Ｕｎｉｔ）と、１台以上のユーザ側伝送装置である光加入者線終端装置（ＯＮＵ；Ｏｐｔｉｃａｌ  Ｎｅｔｗｏｒｋ  Ｕｎｉｔ）とを、光ファイバとスプリッタを介して接続する、ポイント・ツー・マルチポイント形態の光アクセスネットワークである。
【０００３】
このＰＯＮにおいて、システムの構成要素であるＯＳＵ、ＯＮＵ、光ファイバ、あるいは、スプリッタの冗長化を行い、ＯＳＵ故障・ＯＮＵ故障・光ファイバ破損・スプリッタ破損によるシステムダウンを回避する技術が、ＰＯＮプロテクションである（非特許文献１、１１３−１１６頁）。すなわち、ＰＯＮプロテクション適用時において、これらシステム構成要素の故障・破損時には、正常系から冗長系への動作切り替えにより、サービス継続を行うのである。
【０００４】
ＰＯＮプロテクションの中でも特に重要視されるのが、ＯＳＵの冗長化である。第１の理由は、ＯＳＵがＰＯＮというポイント・ツー・マルチポイント形態通信における信号の集約点であることから、故障時には配下のすべてのＯＮＵ（ユーザ）に対し影響が及ぶという、影響の広範囲性を有することにある。第２の理由は、ＯＳＵは電子部品やそれらを動作させるソフトウェアから構成されるため、単なる光導波路である光ファイバ・スプリッタに比べ、故障の可能性が高いことにある。従って、ＰＯＮプロテクションとしてまず第１に冗長化を行うべき個所は、通常、ＯＳＵとなる。
【０００５】
ところで、このＯＳＵを１〜複数台と、交換スイッチ（１〜複数台のＯＳＵの上位側に接続される）と、上位ネットワークインタフェース（交換スイッチの上位側に接続される）と、ＯＬＴ制御部は、通常、まとめて１台の光加入者線端局装置（ＯＬＴ；Ｏｐｔｉｃａｌ  Ｌｉｎｅ  Ｔｅｒｍｉｎａｌ）に収容されている。すなわち、ＯＬＴは、ＰＯＮと上位ネットワークの交換を行う通信ノードであり、ＰＯＮ側のインタフェースとなるＯＳＵは多数となることもあり得るものである。従って、ＯＳＵの冗長化は、このようなＯＬＴの基本構成を前提に、最適構成を考慮しなければならない。
【０００６】
関連するＯＳＵ冗長化技術の第１の構成は、図１に示すように、ＯＬＴ１０の内部において、正常系ＯＳＵ１１のそれぞれに対して冗長系ＯＳＵ１２を１台ずつ用意するものである（例えば、非特許文献１の１１４頁のＴｙｐｅ−Ｂ参照。）。便宜上、この第１の構成を「冗長系ＯＳＵ独立型」と称することにする。「冗長系ＯＳＵ独立型」の具体的構成・動作は以下のとおりである。
【０００７】
正常系ＯＳＵ１１−１と冗長系ＯＳＵ１２−１は、Ｎ：２スプリッタ４１−１（Ｎは１以上の整数）を介して、ＯＮＵ５１と接続されている。正常系ＯＳＵ１１−１は、下部のＯＮＵ５１からの信号を上部の交換スイッチへ、上部の交換スイッチからの信号を下部のＯＮＵ５１へ、それぞれ転送している。
【０００８】
正常系ＯＳＵ１１−１が通信中に故障した場合、これを検知したＯＬＴ制御部１５により切り替えが行われ、
（ｉ）正常系ＯＳＵ１１−１の立ち下げ、
（ｉｉ）冗長系ＯＳＵ１２−１の立ち上げ、
（ｉｉｉ）交換スイッチの設定変更が行われる。
そして、冗長系ＯＳＵ１２−１は、故障発生前と同様に、下部のＯＮＵ５１からの信号を上部の交換スイッチへ、上部の交換スイッチからの信号を下部のＯＮＵ５１へ、それぞれ転送を開始することにより、サービス継続する。
【０００９】
正常系ＯＳＵ１１−ｉと冗長系ＯＳＵ１２−ｉ（ｉ＝２、３、…）の接続形態とプロテクション時の動作も、ＯＳＵ１１−１とＯＳＵ１２−１の関係に同じである。この「冗長系ＯＳＵ独立型」の構成では、正常系ＯＳＵと同数の冗長系ＯＳＵをあらかじめＯＬＴ１０に収容しておく必要があることから、ＯＬＴスロット消費の問題や、ＯＳＵ導入コスト増大の問題を有していた。
【００１０】
これに対し、関連するＯＳＵ冗長化技術の第２の構成は、図２に示すように、ＯＬＴ１０の内部において、複数台の正常系ＯＳＵ１１に対して冗長系ＯＳＵ１２を１台用意することにより、ＯＬＴスロット消費の問題や、コスト増大の問題を抑圧するものである（図２；特許文献１の図１、特許文献２の図１）。便宜上、この第２の構成を「冗長系ＯＳＵ共有型」と称することにする。「冗長系ＯＳＵ共有型」の具体的構成と動作は以下のとおりである。
【００１１】
ＯＬＴ１０には、正常系ＯＳＵ１１−ｉ（ｉ＝１、２、３、・・・、Ｍ：Ｍは１以上の整数）と、冗長系ＯＳＵ１２が１台収容されている。冗長系ＯＳＵ１２のＯＮＵ側入出力ポートにはＭ：１光スイッチ３２が接続されている（光スイッチ３２の入出力ポートは、ポートｘと称す）。そして、Ｍ：１光スイッチ３２にＭ本あるＯＮＵ側入出力ポート（ポート１、２、３、・・・、Ｍと称す）は、それぞれポート１とＯＳＵ１１−１、ポート２とＯＳＵ１１−２、ポート３とＯＳＵ１１−３、・・・、ポートＭとＯＳＵ１１−Ｍのように一対にて、Ｎ：２スプリッタ４１−ｉ（ｉ＝１、２、３、・・・、Ｍ）を介してＮ台以下の共通するＯＮＵ５０と接続されている（スプリッタのＯＮＵ側のＮ本のポートには、空きポートがあっても構わない）。
【００１２】
ここで、正常系ＯＳＵ１１−ｉは、それぞれ下部のＯＮＵ５０からの信号を上部の交換スイッチへ、上部の交換スイッチからの信号を下部のＯＮＵ５０へ、それぞれ転送している。ここで、正常系ＯＳＵ１１−１が通信中に故障した場合、これを検知したＯＬＴ制御部１５により切り替えが行われ、
（ｉ）光スイッチ３２においてポートｘとポート１の接続、
（ｉｉ）交換スイッチの設定変更、
（ｉｉｉ）正常系ＯＳＵ１の立ち下げ、
（ｉｖ）冗長系ＯＳＵ１２の立ち上げ、が行われる。
そして、冗長系ＯＳＵ１２は、故障発生前と同様に、下部のＯＮＵ５０からの信号を上部の交換スイッチへ、上部の交換スイッチからの信号を下部のＯＮＵ５０へ、それぞれ転送を開始することにより、サービス継続する。
【００１３】
他の正常系ＯＳＵ１１−ｉ（ｉ＝２、３、…）の故障時の動作も、それぞれ正常系ＯＳＵ１１、スプリッタ４１、光スイッチ３２のポートが入れ替わる以外、上記説明と同じである。
【００１４】
この「冗長系ＯＳＵ共有型」の構成では、正常系ＯＳＵ１１のＭ台に対して、同時にＯＬＴ１０に収容する冗長系ＯＳＵ１２が１台で済むことから、ＯＬＴスロット消費の問題や、ＯＳＵ導入コスト増大の問題は解消されている。また、正常系ＯＳＵが複数同時に故障する確率は十分低いという条件下では、本構成・動作にての冗長化で信頼性を確保することも容易となる。なお、ＯＬＴにおいて、交換スイッチ、上位ネットワークインタフェース、および、ＯＬＴ制御部についても冗長化する場合があるが、ここでは直接関連しないことから、記載を省略する。
【先行技術文献】
【特許文献】
【００１５】
【特許文献１】特開平７−２２６７９６号公報
【特許文献２】特開２０００−３３２８５７号公報
【非特許文献】
【００１６】
【非特許文献１】ＩＴＵ−Ｔ  Ｇ．９８３．１
【発明の概要】
【発明が解決しようとする課題】
【００１７】
上記説明の通り、関連するＯＳＵ冗長化技術の「冗長系ＯＳＵ共有型」のＰＯＮプロテクション構成では、「冗長系ＯＳＵ独立型」のＰＯＮプロテクション構成に比べ、冗長系ＯＳＵが少なくて済むことから、ＯＬＴスロット消費の問題や、ＯＳＵ導入コスト増大の問題が解消されている。
【００１８】
ここで、「冗長系ＯＳＵ共有型」の構成において導入されている冗長系ＯＳＵ１２の異常診断をすることは、正常系ＯＳＵが故障発生した場合にサービス継続するために重要である。具体的に、冗長系ＯＳＵの異常に起因するＰＯＮプロテクションの失敗（サービス継続不可能となるような障害）のシナリオを以下に記載する。「冗長系ＯＳＵ共有型」のＰＯＮプロテクション構成において、正常系ＯＳＵ１１−１が故障したとする。この時、前述の（ｉ）〜（ｉｖ）に沿って冗長系ＯＳＵ１２への切り替え動作がおこなわれる筈である。ところが、冗長系ＯＳＵ１２に異常があるとすると、ＰＯＮプロテクションができないこととなり、その結果、サービス継続不可能となる。
【００１９】
このように、「冗長系ＯＳＵ共有型」のＰＯＮプロテクション構成については、ＯＬＴスロット削減やＯＳＵ導入コスト削減の観点から魅力があるものの、冗長系ＯＳＵ異常の観点からＰＯＮプロテクションが万全と言えないのが課題である。
【００２０】
これに対し、冗長系ＯＳＵを複数配備する方法も考え得るが、２台以上の冗長系ＯＳＵの導入はコストの増加という新たな課題も発生する。
【００２１】
また、冗長系ＯＳＵの信頼性を向上させる方法も考え得るが、冗長系ＯＳＵとして正常系ＯＳＵよりも信頼度を高めたＯＳＵが必要となるため、コスト増の課題が発生する。
【００２２】
このように、冗長系ＯＳＵ関係の信頼性を向上させることは困難である。このことを鑑み、冗長系ＯＳＵを予め異常診断し、異常系ＯＳＵの異常発生前に冗長系ＯＳＵの交換または修理を行うことができれば、サービス継続不可能を回避でき、ＰＯＮプロテクションの信頼性を向上させることができる。
【００２３】
そこで、ＰＯＮプロテクションの信頼性を向上するために、本発明は、冗長系ＯＳＵの異常を予め点検できるＰＯＮプロテクションシステムの異常診断方法及びＰＯＮプロテクションシステムを提供することを目的とする。
【課題を解決するための手段】
【００２４】
本願発明のＰＯＮプロテクションシステムは、
局舎側伝送装置である１台の正常系光加入者線終端盤（ＯＳＵ；Ｏｐｔｉｃａｌ  Ｓｕｂｓｃｒｉｂｅｒ  Ｕｎｉｔ）と、ユーザ側伝送装置である１台以上の光加入者線終端装置（ＯＮＵ；Ｏｐｔｉｃａｌ  Ｎｅｔｗｏｒｋ  Ｕｎｉｔ）とを、ポイント・ツー・マルチポイント形態で接続する光アクセスネットワークを複数含むパッシブオプティカルネットワーク（ＰＯＮ；Ｐａｓｓｉｖｅ  Ｏｐｔｉｃａｌ  Ｎｅｔｗｏｒｋ）に、光スイッチの切り替えでいずれかの前記正常系ＯＳＵの代理として前記正常系ＯＳＵに収容される前記ＯＮＵと通信できる冗長系ＯＳＵを備えたＰＯＮプロテクションシステムであって、
前記光スイッチは、前記冗長系ＯＳＵの異常診断を行うための異常診断用ポートを備え、
前記光スイッチに前記冗長系ＯＳＵと前記異常診断用ポートを接続させ、前記冗長系ＯＳＵを発光してない状態から発光させることで、前記冗長系ＯＳＵの異常診断を行う制御部と、
を備える。
【００２５】
本願発明のＰＯＮプロテクションシステムでは、
前記光スイッチの異常診断用ポートに接続され、前記冗長系ＯＳＵと接続試験を行う異常診断用ＯＮＵを備え、
前記制御部は、前記冗長系ＯＳＵと前記異常診断用ＯＮＵが接続した状態で、前記冗長系ＯＳＵを発光してない状態から発光させて前記異常診断用ＯＮＵ及び前記冗長系ＯＳＵに接続試験を行わせることで、前記冗長系ＯＳＵの異常診断を行ってもよい。
【００２６】
本願発明のＰＯＮプロテクションシステムでは、
前記光スイッチの異常診断用ポートに接続され、前記冗長系ＯＳＵと接続試験を行う光電力測定部を備え、
前記制御部は、前記冗長系ＯＳＵと前記異常診断用ＯＮＵが接続した状態で、前記冗長系ＯＳＵを発光してない状態から発光させて前記光電力測定部からの測定結果を取得することで、前記冗長系ＯＳＵの異常診断を行ってもよい。
【００２７】
本願発明のＰＯＮプロテクションシステムの異常診断方法は、
局舎側伝送装置である１台の正常系光加入者線終端盤（ＯＳＵ；Ｏｐｔｉｃａｌ  Ｓｕｂｓｃｒｉｂｅｒ  Ｕｎｉｔ）と、ユーザ側伝送装置である１台以上の光加入者線終端装置（ＯＮＵ；Ｏｐｔｉｃａｌ  Ｎｅｔｗｏｒｋ  Ｕｎｉｔ）とを、ポイント・ツー・マルチポイント形態で接続する光アクセスネットワークを複数含むパッシブオプティカルネットワーク（ＰＯＮ；Ｐａｓｓｉｖｅ  Ｏｐｔｉｃａｌ  Ｎｅｔｗｏｒｋ）に、光スイッチの切り替えでいずれかの前記正常系ＯＳＵの代理として前記正常系ＯＳＵに収容される前記ＯＮＵと通信できる冗長系ＯＳＵを備えたＰＯＮプロテクションシステムの異常診断方法であって、
前記光スイッチは、前記冗長系ＯＳＵの異常診断を行うための異常診断用ポートを備え、
前記光スイッチの前記冗長系ＯＳＵ接続ポートと前記異常診断用ポートを接続した状態で、前記冗長系ＯＳＵを発光してない状態から発光させて運用を開始し、前記異常診断用ポートを用いて前記冗長系ＯＳＵの異常診断を行うことを特徴とする。
【００２８】
本願発明のＰＯＮプロテクションシステムの異常診断方法では、前記異常診断において、前記異常診断用ポートに異常診断用ＯＮＵを接続して、前記異常診断用ＯＮＵと前記冗長系ＯＳＵとの接続試験を行ってもよい。
【００２９】
本願発明のＰＯＮプロテクションシステムの異常診断方法では、前記異常診断において、前記異常診断用ポートで前記冗長系ＯＳＵからの光信号を光電力測定してもよい。
【発明の効果】
【００３０】
本発明は、冗長系ＯＳＵの異常を予め点検できるＰＯＮプロテクションシステムの異常診断方法及びＰＯＮプロテクションシステムを提供することができる。
【図面の簡単な説明】
【００３１】
【図１】関連するＯＳＵ冗長化技術の第１の構成を示す。
【図２】関連するＯＳＵ冗長化技術の第１の構成を示す。
【図３】実施形態１のＰＯＮプロテクションシステムの構成を説明する図である。
【図４】実施形態２のＰＯＮプロテクションシステムの構成を説明する図である。
【図５】実施形態１における異常診断試験の動作を説明するフローチャートである。
【図６】実施形態２における異常診断試験の動作を説明するフローチャートである。
【発明を実施するための形態】
【００３２】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００３３】
（実施形態１）
図３は本実施形態のＰＯＮプロテクションシステムの構成を説明する図である。ＰＯＮプロテクションシステムは、局舎側伝送装置である１台の正常系ＯＳＵ１１と、ユーザ側伝送装置である１台以上のＯＮＵ５０とを、ポイント・ツー・マルチポイント形態で接続する光アクセスネットワークを複数含むＰＯＮに、いずれかのＯＳＵ１１の代理としてＯＳＵ１１に収容されるＯＮＵ５０と通信できる冗長系ＯＳＵ１２と、冗長系ＯＳＵ１２の異常診断を行うための異常診断用ＯＮＵ６１と、冗長系ＯＳＵ１２といずれかの光アクセスネットワーク、または異常診断用ポートに接続している異常診断用ＯＮＵ６１を選択的に接続する光スイッチ３２と、光スイッチ３２の切り替えを行う光スイッチ制御部３１と、冗長系ＯＳＵ１２の発光による運用開始と消光を行うＯＬＴ制御部１５を備える。
【００３４】
ＰＯＮプロテクションシステムは、図２の「冗長系ＯＳＵ共有型」のＰＯＮプロテクション構成に対し、冗長系ＯＳＵ異常診断の為の構成が付加されたものとなっている。ＰＯＮプロテクションシステムの構成は、基本構成、および、ＰＯＮプロテクション時の構成が、図２の「冗長系ＯＳＵ共有型」のＰＯＮプロテクション構成と同じであることから、これらに関する説明は省略する。
【００３５】
以降は、冗長系ＯＳＵの異常診断方法についての説明である。なお、ＰＯＮがプロテクション状態の時は、冗長系ＯＳＵは通信中となるため、冗長系ＯＳＵに異常が発生した場合、通信エラーが発生することで、冗長系ＯＳＵの異常が検出できるため、冗長系ＯＳＵの異常診断は省略する。
【００３６】
ここで、「冗長系ＯＳＵ共有型」のＰＯＮプロテクション構成のプロテクション状態において、光スイッチ３２の接続先を光アクセスネットワークのいずれかのポート（光スプリッタ４１を介してＯＮＵ５０に接続されるポート）に切り替えた状態で、冗長系ＯＳＵ１２を発光して運用を開始すると、光スイッチ３２が接続された正常系ＯＳＵ１１配下のＯＮＵ５０は正常系ＯＳＵ１１と冗長系ＯＳＵ１２両方の光信号を受信してしまい、通信エラーが発生する。一方、光スイッチ３２のポートｘの接続先を異常診断用ポート（異常診断用ＯＮＵ６１が接続しているポートｙ）に切り替えた状態で、冗長系ＯＳＵ１２を発光し運用を開始すると、すべての正常系ＯＳＵ１１配下のＯＮＵ５０は正常系ＯＳＵ１１と冗長系ＯＳＵ１２両方の光信号を受信することはないため、冗長系ＯＳＵ１２が発光し運用を開始したことに起因する通信エラーは発生しない。したがって、本実施形態においては、光スイッチ３２の接続先を異常診断用ＯＮＵ６１に切り替えた状態で、冗長系ＯＳＵ１２を発光し運用を開始し、冗長系ＯＳＵ１２の異常診断試験を行う。
【００３７】
この冗長系ＯＳＵ１２の異常診断試験の動作は以下の通りである。図５にフローチャートを示す。
［開始］
冗長系ＯＳＵ１２の異常診断試験は、ＯＬＴ制御部１５内のタイマ、または、外部からのトリガがＯＬＴ制御部１５に入力されることにより起動する（Ｓ１０１）。まず、ＯＬＴ制御部１５は、ＰＯＮが非プロテクション状態であることを確認する（Ｓ１０２）。プロテクションの指示はＯＬＴ制御部１５から各部に出されているので、プロテクション／非プロテクションの状態の確認は、ＯＬＴ制御部１５の内部メモリを参照すれば可能である。非プロテクション状態でなければ異常診断試験は行わない。非プロテクション状態であれば［冗長系ＯＳＵ発光前診断］に進む。
【００３８】
［冗長系ＯＳＵ発光前診断］
光スイッチ３２が故障していて、光スイッチ３２のポートｘとポートｙを接続することが失敗した状態で、冗長系ＯＳＵ１２を発光して運用開始すると、冗長系ＯＳＵ１２の光信号がＯＮＵ５０のいずれか、または複数に入ることにより、通信エラーを発生することが考えられる。したがって、冗長系ＯＳＵ１２を発光して運用を開始する前に、光スイッチ３２の異常を確認する。
【００３９】
冗長系ＯＳＵ１２を消光させた後（Ｓ１０３）、ＯＬＴ制御部１５は、光スイッチ制御部３１を介し、光スイッチ３２のポートｘと異常診断用ＯＮＵが接続しているポートｙを接続させ（Ｓ１０４）、冗長系ＯＳＵ１２は、正常系ＯＳＵ１１と通信中であるＯＮＵ５０から上り光信号の受光／非受光を観測する（Ｓ１０５）。なお、光スイッチ異常確認開始前において、必ず冗長系ＯＳＵ１２が消光しているＰＯＮプロテクションの処理手順もあることから、冗長系ＯＳＵ１２を消光させる処理は省略してもよい。また、正常系ＯＳＵ１１と通信中であるＯＮＵ５０がスリープ中であるときは、ＯＮＵ５０は発光しないため、冗長系ＯＳＵ１２はＯＮＵ５０の上り光信号の観測期間をスリープ間隔以上とする必要がある。
【００４０】
ここで、異常診断用ＯＮＵ６１は、冗長系ＯＳＵ１２と接続していても、冗長系ＯＳＵ１２は消光しているため、異常診断用ＯＮＵ６１は上り送信許可がなく発光しない。したがって、光スイッチ３２のポートｘとポートｙが接続していれば、冗長系ＯＳＵ１２は非受光になる。一方、冗長系ＯＳＵ１２が受光した場合は光スイッチ３２のポートｘの接続先が誤ってポート１、２、３、……、Ｍのどれかに接続しており、ＯＮＵ５０のいずれか１つ、もしくは複数からの上り光信号を受光している、もしくは異常診断用ＯＮＵ６１に異常があり発光していることとなる。したがって、冗長系ＯＳＵ１２が受光を観測した場合、ＯＬＴ制御部１５は故障要因について冗長系ＯＳＵ発光前診断異常と記録し、警報を出力して冗長系ＯＳＵ異常診断試験を終了する（Ｓ１０９）。この警報は、ＯＡＭ信号への重畳、ＬＥＤへの出力、あるいは専用出力端への出力のいずれでも構わない。冗長系ＯＳＵ１２が非受光を確認した場合、［冗長系ＯＳＵ異常診断］へ進む。
【００４１】
［冗長系ＯＳＵ異常診断］
次にＯＬＴ制御部１５は、冗長系ＯＳＵ１２を発光して運用開始を行い（Ｓ１０６）、冗長系ＯＳＵ１２の異常診断を行う（Ｓ１０７）。この時、冗長系ＯＳＵ１２が正常に動作していれば、異常診断用ＯＮＵ６１は冗長系ＯＳＵ１２の下り信号光を受光し、異常診断用ＯＮＵ６１と冗長系ＯＳＵ１２のリンクが確立する。一方、異常診断用ＯＮＵ６１が冗長系ＯＳＵ１２の下り光信号を受光できなかったり、異常診断用ＯＮＵ６１と冗長系ＯＳＵ１２のリンク確立を失敗したりする場合は、冗長系ＯＳＵ１２に異常があると検出できる。なお、冗長系ＯＳＵ１２の異常診断は、観測中に異常診断用ＯＮＵ６１で閾値以上の電力の下り信号光を受光している／受光していないということで判定してもよい。あるいは、冗長系ＯＳＵ１２と異常診断用ＯＮＵ６１のリンク確立により判定してもよい。あるいは、冗長系ＯＳＵ１２と異常診断用ＯＮＵ６１のリンク確立後のループバック試験により判定してもよい。
【００４２】
冗長系ＯＳＵ１２に異常を検出した場合、ＯＬＴ制御部１５は、冗長系ＯＳＵ異常と記録して、警報を出力する（Ｓ１１０）。この警報は、ＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）信号への重畳、ＬＥＤへの出力、専用出力端への出力、あるいはログへの蓄積のいずれでも構わない。一方、冗長系ＯＳＵ１２に異常を検出しなかった場合、ＯＬＴ制御部１５は、冗長系ＯＳＵ１２の異常なし判定とする。
【００４３】
［終了］
冗長系ＯＳＵ１２異常確認後、冗長系ＯＳＵ１２は発光を停止して運用停止し、異常診断試験を終了する（Ｓ１０８、Ｓ１１１）。なお、異常診断試験動作中にＰＯＮプロテクションを行う必要が発生した場合にも、異常診断試験を終了する。なお、冗長系ＯＳＵ１２に異常を検知した場合は、冗長系ＯＳＵへの電源供給を停止することによって、発光を停止し運用停止してもよい。
【００４４】
なお、実施形態１では、異常診断は、ＯＬＴ制御部１５内のタイマ、または、外部からのトリガがＯＬＴ制御部１５に入力されることにより起動したが、非プロテクション状態のとき常に冗長系ＯＮＵ１２と異常診断用ＯＮＵ６１を接続状態にしておき、冗長系ＯＳＵの異常診断してもよい。
【００４５】
以上、実施形態１の動作について説明した。もし、上記の冗長系ＯＳＵ異常診断試験により冗長系ＯＳＵ１２の異常が検出され、ＯＬＴ制御部１５から警報が出力されていた場合には、作業者が、冗長系ＯＳＵ１２を交換又は修理し、ＰＯＮプロテクション前に保全を行うことができる。
【００４６】
（実施形態２）
図４は本実施形態のＰＯＮプロテクションシステムの構成を説明する図である。ＰＯＮプロテクションシステムは、局舎側伝送装置である１台の正常系ＯＳＵ１１と、ユーザ側伝送装置である１台以上のＯＮＵ５０とを、ポイント・ツー・マルチポイント形態で接続する光アクセスネットワークを複数含むＰＯＮに、いずれかのＯＳＵ１１の代理としてＯＳＵ１１に収容されるＯＮＵ５０と通信できる冗長系ＯＳＵ１２と、冗長系ＯＳＵ１２の動作状態を確認するための光電力測定手段３８と、冗長系ＯＳＵ１２といずれかの光アクセスネットワーク、または異常診断ポートに接続している光電力測定手段３８を選択的に接続する光スイッチ３２と、光スイッチ３２の切り替えを行う光スイッチ制御部３１と、冗長系ＯＳＵ１２の発光による運用開始と消光を行うＯＬＴ制御部１５を備える。
【００４７】
この冗長系ＯＳＵの異常診断試験の動作は以下の通りである。図６にフローチャートを示す。本実施形態において、光スイッチの冗長系ＯＳＵ接続ポート（ポートｘ）との接続先として、異常診断用ポート（ポートｙ）に接続して冗長系ＯＳＵ１２の異常診断試験を行う点は実施形態１と同じである。しかし、信号光の状態を実施形態１ではポートｙに異常診断用ＯＳＵを接続して判断していたが、本実施形態ではポートｙに光電力測定部３８を接続して判断する点が異なる。
【００４８】
［開始］
実施形態１と同じであるので、省略する。
【００４９】
［冗長系ＯＳＵ発光前診断］
光スイッチ３２が故障していて、光スイッチ３２のポートｘとポートｙを接続することが失敗した状態で、冗長系ＯＳＵ１２を発光して運用開始すると、冗長系ＯＳＵ１２の光信号がＯＮＵ５０のいずれか、または複数に入ることにより、通信エラーを発生することが考えられる。したがって、冗長系ＯＳＵ１２を発光して運用を開始する前に、光スイッチ３２の異常を確認する。
【００５０】
冗長系ＯＳＵ１２を消光させた後（Ｓ１０３）、ＯＬＴ制御部１５は、光スイッチ制御部３１を介し、光スイッチ３２のポートｘとポートｙを接続させ（Ｓ１０４）、冗長系ＯＳＵ１２は、正常系ＯＳＵ１１と通信中であるＯＮＵ５０から上り光信号の受光／非受光を観測する（Ｓ１０５）。なお、光スイッチ異常確認開始前において、必ず冗長系ＯＳＵ１２が消光しているＰＯＮプロテクションの処理手順もあることから、冗長系ＯＳＵ１２を消光させる処理は省略してもよい。また、正常系ＯＳＵ１１と通信中であるＯＮＵ５０がスリープ中であるときは、ＯＮＵ５０は発光しないため、冗長系ＯＳＵ１２はＯＮＵ５０の上り光信号の観測期間をスリープ間隔以上とする必要がある。
【００５１】
ここで、光スイッチ３２のポートｘとポートｙが接続していれば、冗長系ＯＳＵ１２は非受光になる。一方、冗長系ＯＳＵ１２が受光した場合は光スイッチ３２のポートｘの接続先が誤ってポート１、２、３、・・・、Ｍのどれかに接続しており、ＯＮＵ５０のいずれか１つ、もしくは複数からの上り光信号を受光していることとなる。したがって、冗長系ＯＳＵ１２が受光を観測した場合、ＯＬＴ制御部１５は故障要因について冗長系ＯＳＵ発光前診断異常と記録し、警報を出力して冗長系ＯＳＵ異常診断試験を終了する（Ｓ１０９）。この警報は、ＯＡＭ信号への重畳、ＬＥＤへの出力、あるいは専用出力端への出力のいずれでも構わない。冗長系ＯＳＵ１２が非受光を確認した場合、［冗長系ＯＳＵ異常診断］へ進む。
【００５２】
［冗長系ＯＳＵ異常診断］
次にＯＬＴ制御部１５は、冗長系ＯＳＵ１２を発光して運用開始を行い（Ｓ２０６）、冗長系ＯＳＵ１２の異常診断を行う。この時、冗長系ＯＳＵ１２が正常に動作していれば、光電力測定部３８は冗長系ＯＳＵ１２の下り信号光を受光する（Ｓ２０７においてＮｏ）。一方、光電力測定部３８が冗長系ＯＳＵ１２の下り光信号を受光できなかった場合は（Ｓ２０７においてＹｅｓ）、冗長系ＯＳＵ１２に異常があると検出できる。なお、冗長系ＯＳＵ１２の異常診断は、所定時間にわたって下り光信号を受光したことで判定してもよいし、観測中に光電力測定部３８で閾値以上の電力の下り信号光を受光している／受光していないということで判定してもよい。
【００５３】
冗長系ＯＳＵ１２に異常を検出した場合、ＯＬＴ制御部１５は、冗長系ＯＳＵ異常と記録して、警報を出力する（Ｓ２１０）。この警報は、ＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）信号への重畳、ＬＥＤへの出力、専用出力端への出力、あるいはログへの蓄積のいずれでも構わない。一方、冗長系ＯＳＵ１２に異常を検出しなかった場合、ＯＬＴ制御部１５は、冗長系ＯＳＵ１２の異常なし判定とする。
【００５４】
［終了］
冗長系ＯＳＵ１２異常確認後、冗長系ＯＳＵ１２は発光を停止して運用停止し、異常診断試験を終了する（Ｓ２０８、Ｓ２１１）。なお、異常診断試験動作中にＰＯＮプロテクションを行う必要が発生した場合にも、異常診断試験を終了する。なお、冗長系ＯＳＵ１２に異常を検知した場合は、冗長系ＯＳＵ１２への電源供給を停止することによって、発光を停止し運用停止してもよい。
【００５５】
なお、実施形態２では、異常診断は、ＯＬＴ制御部１５内のタイマ、または、外部からのトリガがＯＬＴ制御部１５に入力されることにより起動したが、非プロテクション状態のとき、光スイッチ３２のポートｘとポートｙを接続した状態で、常に冗長系ＯＳＵ１２を発光し運用させて冗長系ＯＳＵ１２の下り光信号を光電力測定部３８で光電力を測定して、冗長系ＯＳＵ１２の異常診断してもよい。
【００５６】
以上、実施形態２の動作について説明した。もし、上記の冗長系ＯＳＵ異常診断試験により冗長系ＯＳＵ１２の異常が検出され、ＯＬＴ制御部１５から警報が出力されていた場合には、作業者が、冗長系ＯＳＵ１２を交換又は修理し、ＰＯＮプロテクション前に保全を行うことができる。
【産業上の利用可能性】
【００５７】
本発明は情報通信産業に適用することができる。
【符号の説明】
【００５８】
１０：ＯＬＴ
１１−１、１１−２、１１−３、１１−ｉ、１１−Ｍ：正常系ＯＳＵ
１２、１２−１、１２−２、１２−３：冗長系ＯＳＵ
１５：ＯＬＴ制御部
３１：光スイッチ制御部
３２：光スイッチ
３８：光電力測定部
４１−１、４１−２、４１−３、４１−ｉ、４１−Ｍ：Ｎ：２スプリッタ
５０：ＯＮＵ群
５１−１、５１−Ｎ、５２−１、５２−Ｎ、５３−１、５３−Ｎ：ＯＮＵ
６１：異常診断用ＯＮＵ
【図１】
2014171120.tif 000003
【図２】
2014171120.tif 000004
【図３】
2014171120.tif 000005
【図４】
2014171120.tif 000006
【図５】
2014171120.tif 000007
【図６】
2014171120.tif 000008